(57)【要約】【課題】使用者の身体に対してマッサージ動作するマッサージ機において、使用者に与える快適感を高める。【解決手段】マッサージ機７は、使用者の身体部位を支持する本体部と、前記本体部に設けられ使用者の身体部位を押圧可能であるマッサージ手段と、を備える。前記マッサージ手段は、上に位置する上エアセル及び下に位置する下エアセルを上下重ねた状態として有し、当該上エアセルと当該下エアセルとは特性が異なる。【選択図】      図１
2020062552.tif 000002
【特許請求の範囲】
【請求項１】
使用者の身体部位を支持する本体部と、
前記本体部に設けられ使用者の身体部位を押圧可能であるマッサージ手段と、を備え、
前記マッサージ手段は、上に位置する上エアセル及び下に位置する下エアセルを上下重ねた状態として有し、当該上エアセルと当該下エアセルとは特性が異なるマッサージ機。
【請求項２】
前記上エアセルは、前記下エアセルよりも外力によって変形しやすく、
前記下エアセルは、前記上エアセルよりも外力によって変形しにくい、請求項１に記載のマッサージ機。
【発明の詳細な説明】
【技術分野】
【０００１】
本発明は、マッサージ機に関する。
【背景技術】
【０００２】
使用者の身体に対してマッサージ動作する様々なマッサージ機が知られている。
例えば特許文献１には、マット型のマッサージ機が開示されている。このマッサージ機は、室内の床面に置いて用いられるものであり、マット本体と、このマット本体に設けられているエアセルとを備えている。エアセルはエアが供給されることで膨張し、使用者の身体を持ち上げたり、挟んだりすることができる。
【先行技術文献】
【特許文献】
【０００３】
【特許文献１】特開平１０−５７４３６号公報
【発明の概要】
【発明が解決しようとする課題】
【０００４】
前記のようなマッサージ機によれば、エアセルを膨張させることで使用者に対してマッサージやストレッチ等の作用を付与することができる。近年では、前記のような作用を効果的に使用者に与えて、より一層高い快適感を付与することができるようなマッサージ機の開発が望まれている。
【０００５】
そこで、本発明は、使用者の身体に対してマッサージ動作するマッサージ機において、使用者に与える快適感を高めることを目的とする。
【課題を解決するための手段】
【０００６】
マッサージ機は、マット型であり、使用者の身長方向に沿って並ぶ複数の分割体を含むマット本体と、前記複数の分割体の内の第一分割体の左右それぞれに設けられエアの供給により膨張可能である第一エアセルと、前記複数の分割体の内の第二分割体の左右それぞれに設けられエアの供給により膨張可能である第二エアセルと、左右の前記第一エアセルの内の一方を独立して膨張させるための動作と、左右の前記第二エアセルの内の一方を独立して膨張させるための動作との内の一方又は双方の動作が可能であるエア供給装置とを備えている。
【発明の効果】
【０００７】
本発明によれば、使用者に与える快適感を高めることが可能となる。
【図面の簡単な説明】
【０００８】
【図１】マッサージ機の平面図である。
【図２】図１のＸ２−Ｘ２矢視の断面図である。
【図３】図１のＸ３−Ｘ３矢視の断面図である。
【図４】エア供給装置の説明図である。
【図５】図１のＸ３−Ｘ３矢視の断面図であり、開口部用エアセルが膨張した状態を示している。
【図６】図６は、図１のＸ６−Ｘ６矢視の断面図である。
【図７】図１のＸ６−Ｘ６矢視の断面図であり、開口部用エアセルが膨張した状態を示している。
【図８】図１のＸ３−Ｘ３矢視の断面図であり、平坦部用エアセルが膨張した状態を示している。
【図９】図１のＸ６−Ｘ６矢視の断面図であり、平坦部用エアセルが膨張した状態を示している。
【図１０】マッサージ機の側面図である。
【図１１】図１のＸ３−Ｘ３矢視の断面図であり、開口部用エアセルが膨張した状態を示している。
【図１２】図１のＸ３−Ｘ３矢視の断面図であり、開口部用エアセルが膨張した状態を示している。
【図１３】図１のＸ６−Ｘ６矢視の断面図であり、開口部用エアセルが膨張した状態を示している。
【図１４】図１のＸ６−Ｘ６矢視の断面図であり、開口部用エアセルが膨張した状態を示している。
【図１５】図１のＸ３−Ｘ３矢視の断面図であり、開口部用エアセルが膨張した状態を示している。
【図１６】図１のＸ３−Ｘ３矢視の断面図であり、開口部用エアセルが膨張した状態を示している。
【図１７】図１のＸ３−Ｘ３矢視の断面図であり、開口部用エアセルが膨張した状態を示している。
【図１８】図１のＸ６−Ｘ６矢視の断面図であり、開口部用エアセルが膨張した状態を示している。
【図１９】図１のＸ６−Ｘ６矢視の断面図であり、開口部用エアセルが膨張した状態を示している。
【図２０】図１のＸ６−Ｘ６矢視の断面図であり、開口部用エアセルが膨張した状態を示している。
【図２１】立体網状構造を有しているクッション材の一部を拡大した説明図である。
【図２２】クッション材の評価を示す説明図である。
【図２３】椅子型のマッサージ機の示す斜視図である。
【発明を実施するための形態】
【０００９】
〔本発明の実施形態の説明〕
本発明の実施形態を列記して説明する。なお、以下に説明するマッサージ装置の各構成に付されている符号は、図１〜図２３において使用されているものである。また、使用者の身体部分とは、使用者の身体の一部であり、例えば、肩部及びその周囲等である。
【００１０】
〔１〕マッサージ機（７）はマット型であり、
使用者の身長方向に沿って並ぶ複数の分割体（１１，１２，１３）を含むマット本体（１０）と、
前記複数の分割体（１１，１２，１３）の内の第一分割体（１１）の左右それぞれに設けられエアの供給により膨張可能である第一エアセル（４０）と、
前記複数の分割体（１１，１２，１３）の内の第二分割体（１２）の左右それぞれに設けられエアの供給により膨張可能である第二エアセル（４０）と、
左右の前記第一エアセル（４０）の内の一方を独立して膨張させるための動作と、左右の前記第二エアセル（４０）の内の一方を独立して膨張させるための動作との内の一方又は双方の動作が可能であるエア供給装置（１４）と、を備えている。
このマット型のマッサージ機（７）上に使用者が横たわる状態で、一つの分割体（１１）において左右の内の一方のエアセル（４０）を膨張させて他方のエアセル（４０）を膨張させないようにすることができ、これにより使用者の左右いずれかの身体部分を持ち上げる動作が可能となる。しかも、マット本体（１０）は複数の分割体（１１，１２，１３）に分割されていることから、一つの分割体（１１）において前記のような持ち上げる動作が行われても、その影響を他の分割体（１２，１３）に載る身体部分へ与えにくくすることができる。これによって、エアセル（４０）により使用者に対して与える作用にメリハリを付けることが可能となり、使用者に与える快適感を高めることができる。
【００１１】
〔２〕また、前記エア供給装置（１４）は、更に、前記第一エアセル（４０）及び前記第二エアセル（４０）の内の一方を独立して膨張させるための動作が可能であるのが好ましい。
この場合、例えば、第一エアセル（４０）のみを膨張させたり、第二エアセル（４０）のみを膨張させたり、左側の第一エアセル（４０）と右側の第二エアセル（４０）とを膨張させたり、右側の第一エアセル（４０）と左側の第二エアセル（４０）とを膨張させたりすることが可能となる。
【００１２】
〔３〕また、前記マッサージ機（７）は、使用者の身長方向に沿って並ぶ複数の分割ベース（２１，２２，２３）を含むと共に前記エアセル（４０）が設けられているマットベース（２０）と、
前記マットベース（２０）の上に設けられかつ前記エアセル（４０）を覆うと共に前記分割ベース（２１，２２，２３）と分割位置を同じとしている複数の分割保持部（３１，３２，３３）を含む弾性変形が可能な身体保持部（３０）と、を有し、
一つの前記分割体（１１）は、一つの前記分割ベース（２１）と一つの前記分割保持部（３１）とを含んで構成されているのが好ましい。
この場合、分割保持部（３１，３２，３３）の上に使用者が横たわる形態となり、分割保持部（３１，３２，３３）は弾性変形可能であるため、エアセル（４０）が膨張すると分割保持部（３１，３２，３３）はこれに応じて弾性変形することができ、前記のような持ち上げる動作が阻害されない。
【００１３】
〔４〕マッサージ機（７）はマット型であり、
使用者の身長方向に長いマットベース（２０）と、
前記マットベース（２０）に設けられエアの供給により膨張可能である複数のエアセル（４０）と、
前記マットベース（２０）上に設けられ複数の前記エアセル（４０）を覆うと共に弾性変形が可能である身体保持部（３０）と、
を備え、
前記身体保持部（３０）は、使用者の身長方向に沿って並ぶ複数の分割保持部（３１，３２，３３）を含み、
複数の前記エアセル（４０）の一部は、一つの前記分割保持部（３１）に覆われ、複数の前記エアセル（４０）の残りは、他の前記分割保持部（３２）によって覆われている。
このマット型のマッサージ機（７）上に使用者が横たわる状態で、エアセル（４０）を膨張させると身体保持部（３０）を弾性変形させて使用者の身体部分を持ち上げる動作が可能となる。しかも、身体保持部（３０）は、複数の分割保持部（３１，３２，３３）に分割されており、複数のエアセル（４０）の一部は、一つの分割保持部（３１）に覆われ、複数のエアセル（４０）の残りは、他の分割保持部（３２）によって覆われているので、所定のエアセル（４０）が膨張することで一つの分割保持部（３２）を介して使用者の一部の身体部分を持ち上げることができるが、その影響を、別の身体保持部（３１，３３）に載る他の身体部分へ与えにくくすることができる。これによって、エアセル（４０）により使用者に対して与える作用にメリハリを付けることが可能となる。
【００１４】
〔５〕前記〔４〕のマッサージ機（７）において、
前記マットベース（２０）は、使用者の身長方向に沿って並ぶ複数の分割ベース（２１，２２，２３）を含み、
複数の前記エアセル（４０）は、複数の前記分割ベース（２１，２２，２３）に分かれて設けられ、
前記身体保持部（３０）は、前記分割ベース（２１，２２，２３）よりも柔らかいクッション材であり、
前記クッション材は、前記分割ベース（２１，２２，２３）と分割位置を同じとして分割されているのが好ましい。
すなわち、このマット型のマッサージ機（７）は、使用者の身長方向に沿って並ぶ複数の分割ベース（２１，２２，２３）を含むマットベース（２０）と、前記分割ベース（２１，２２，２３）それぞれに設けられエアの供給により膨張可能である複数のエアセル（４０）と、前記マットベース（２０）上に設けられ前記エアセル（４０）を覆うと共に当該マットベース（２０）よりも柔らかいクッション材（３０）と、を備え、前記クッション材（３０）は、前記分割ベース（２１，２２，２３）と分割位置を同じとして分割されているものとなる。
このマット型のマッサージ機（７）上に使用者が横たわる状態で、エアセル（４０）を膨張させて使用者の身体部分を持ち上げる動作が可能となる。しかも、マットベース（２０）は複数の分割ベース（２１，２２，２３）に分割されており、更に、その上のクッション材（３０）も分割位置を同じとして分割されている。このため、一つの分割ベース（２１）において前記のような持ち上げる動作が行われても、その影響を他の分割ベース（２２）に載る身体部分へ与えにくくすることができる。これによって、エアセルにより使用者に対して与える作用にメリハリを付けることが可能となる。
【００１５】
〔６〕マッサージ機（７）はマット型であり、
シート材（５０）と、
前記シート材（５０）上に設けられていると共に上方に開口する開口部（２９ａ，２９ｂ）を有するマットベース（２０）と、
前記開口部（２９ａ，２９ｂ）に設けられエアの供給により膨張可能である開口部用エアセル（４０）と、
前記マットベース（２０）及び前記開口部用エアセル（４０）を覆うと共に前記マットベース（２０）よりも柔らかい身体保持部（３０）と、
を備えている。
このマット型のマッサージ機（７）上に使用者が横たわる状態で、エアセル（４０）を膨張させて使用者の身体部分を持ち上げる動作が可能となる。しかも、エアセル（４０）はマットベース（２０）の開口部（２９ａ，２９ｂ）に設けられており、その上に柔らかい身体保持部（３０）が設けられた構成となっていることで、開口部（２９ａ，２９ｂ）、エアセル（３０）及びエアセル用の配管（１８）の存在を使用者に感じさせにくくすることができ、使用者に快適な寝心地を与えることが可能となる。
【００１６】
〔７〕マッサージ機（７）はマット型であり、
上方に開口する開口部（２９ａ，２９ｂ）を有するマットベース（２０）と、
前記開口部（２９ａ，２９ｂ）に設けられエアの供給により膨張可能である開口部用エアセル（４０）と、
前記マットベース（２０）上であって前記開口部（２９ａ，２９ｂ）以外の平坦部（２８ａ，２８ｂ）に設けられエアの供給により膨張可能である平坦部用エアセル（４０）と、
を備えている。
このマット型のマッサージ機（７）によれば、マットベース（２０）には、二種類のエアセル（４０）が設けられており、これら二種類のエアセル（４０）は膨張することで使用者に異なる体感を与えることができる。
【００１７】
〔８〕マッサージ機（７）はマット型であり、
左右方向の中央を除く左右両側において上方に開口する開口部（２９ａ，２９ｂ）を有するマットベース（２０）と、
前記開口部（２９ａ，２９ｂ）に設けられエアの供給により膨張可能である開口部用エアセル（４０）と、
前記マットベース（２０）の前記中央の平坦部（２８ａ，２８ｂ）に設けられエアの供給により膨張可能である平坦部用エアセル（４０）と、
を備えている。
このマット型のマッサージ機（７）によれば、マットベース（２０）には、二種類のエアセル（４０）が設けられており、これら二種類のエアセル（４０）は膨張することで使用者に異なる体感を与えることができる。すなわち、マットベース（２０）の中央に設けられている平坦部用エアセル（４０）が膨張すると、使用者の背筋に沿う部分が持ち上げられる。これに対して、開口部用エアセル（４０）が膨張すると、使用者の背筋を挟んで左右（いずれか一方又は双方）の身体部分を持ち上げる動作が行われる。
【００１８】
〔９〕前記〔７〕又は〔８〕に記載のマッサージ機（７）において、
前記開口部（２９ａ，２９ｂ）には、前記開口部用エアセル（４０）として、上に位置する上エアセル及び下に位置する下エアセルが重ねて設けられており、当該上エアセルと当該下エアセルとは特性が異なるのが好ましい。
この場合、上エアセルと下エアセルそれぞれの効果を得ることができる。
【００１９】
〔１０〕マッサージ機（７）はマット型であり、
上方に開口する開口部（２９ａ，２９ｂ）を有するマットベース（２０）と、
前記開口部（２９ａ，２９ｂ）に設けられエアの供給により膨張可能であるエアセル（４０）と、
を備え、
前記開口部（２９ａ，２９ｂ）には、前記エアセル（４０）として、上に位置する上エアセル及び下に位置する下エアセルが重ねて設けられており、当該上エアセルと当該下エアセルとは特性が異なる。
このマット型のマッサージ機（７）上に使用者が横たわる状態で、エアセル（４０）を膨張させて使用者の身体部分を持ち上げる動作が可能となる。また、上エアセルと下エアセルとを重ねても、これらは開口部（２９ａ，２９ｂ）に設けられていることで、マット型のマッサージ機上に横たわる使用者に違和感を与えにくくすることができる。そして、上エアセルと下エアセルそれぞれの効果を得ることができる。
【００２０】
〔１１〕マッサージ機（７）は、
使用者の身体部位を支持する本体部と、
前記本体部に設けられ使用者の身体部位を押圧可能であるマッサージ手段と、を備え、
前記マッサージ手段は、上に位置する上エアセル及び下に位置する下エアセルを上下重ねた状態として有し、当該上エアセルと当該下エアセルとは特性が異なる。
このマッサージ機（７）によれば、上エアセルと下エアセルそれぞれの効果を得ることができる。なお、前記本体部は、マット型のマッサージ機（７）の場合、前記マット本体（１０）とすることができ、マット型以外の場合（例えば椅子型のマッサージ機の場合）、前記本体部を、例えば使用者が凭れる背凭れ部（６２）とすることができる。
【００２１】
〔１２〕前記〔３〕〜〔６〕のいずれか一項に記載のマッサージ機（７）において、前記身体保持部（３０）は、立体網状構造を有しているのが好ましい。
この身体保持部（３０）によれば、マット型のマッサージ機（７）上に使用者が横たわる状態で、寝心地感を高めることができ、更に、膨張するエアセル（４０）に押されてしなやかに変形することができ、身体保持部（３０）は使用者の身体に沿って変形できる。このため、身体保持部（３０）は使用者の身体にフィットする。
【００２２】
〔１３〕前記〔７〕〔８〕〔９〕〔１０〕のいずれか一項に記載のマッサージ機（７）は、
前記マットベース（２０）の上に設けられ当該マットベース（２０）よりも柔らかい身体保持部（３０）を更に備え、
前記身体保持部（３０）は、立体網状構造を有しているのが好ましい。
この身体保持部（３０）によれば、マット型のマッサージ機（７）上に使用者が横たわる状態で、寝心地感を高めることができ、更に、膨張するエアセル（４０）に押されてしなやかに変形することができ、身体保持部（３０）は使用者の身体に沿って変形できる。このため、身体保持部（３０）は使用者の身体にフィットする。
【００２３】
〔１４〕前記〔９〕〔１０〕〔１１〕のいずれか一項に記載のマッサージ機（７）は
前記上エアセルは、前記下エアセルよりも外力によって変形しやすく、前記下エアセルは、前記上エアセルよりも外力によって変形しにくいのが好ましい。
この構成によれば、下エアセルが膨張することで上エアセルを使用者側に変位させることができ、そして、上エアセルが膨張すると使用者の身体に沿った形状となることができる。
【００２４】
〔１５〕前記〔１〕〜〔３〕のいずれか一項に記載のマッサージ機（７）において、前記マット本体（１０）は、使用者の肩部を支持可能とする前記分割体（１１）と、使用者の腰部及び／又は臀部を支持可能とする前記分割体（１２）と、を含むようにして分割されているのが好ましい。
この構成によれば、使用者の肩部及びその周囲と、腰部及び／又は臀部並びにその周囲とをそれぞれ押し上げることが可能となる。更に、肩部及びその周囲と、腰部及び／又は臀部並びにその周囲との間で使用者の身体を捻ることも可能となる。
【００２５】
〔１６〕前記〔１〕〜〔３〕及び〔１５〕のいずれか一項に記載のマッサージ機（７）において、前記分割体（１１）は、隣り合う前記分割体（１２）との間において折れ曲がり可能となっているのが好ましい。
この構成によれば、マッサージ機を折り畳むことが可能となる。
【００２６】
〔１７〕前記〔７〕〜〔９〕のいずれか一項に記載のマッサージ機（７）は、
前記開口部用エアセル（４０）及び前記平坦部用エアセル（４０）にエアを供給可能とするエア供給装置（１４）を更に備え、
前記エア供給装置（１４）は、エアの供給を停止することで前記開口部用エアセル（４０）を収縮させている状態で、エアを供給することで前記平坦部用エアセル（４０）を膨張させるための動作が可能であるのが好ましい。
この構成によれば、開口部ではなく平坦部に設けられている平坦部用エアセル（４０）が膨張することで、使用者の身体部位を持ち上げる作用を与えることができる。
【００２７】
〔１８〕前記〔１２〕又は〔１３〕に記載のマッサージ機（７）は、前記身体保持部（３０）と前記マットベース（２０）との間に設けられ使用者側にエアを噴出するエア噴出部材を更に備えているのが好ましい。
この構成によれば、身体保持部（３０）は前記立体網状構造を有していることから通気性が良好であり、この身体保持部（３０）とマットベース（２０）との間に設けられているエア噴出部材からエアを噴出することで、身体保持部（３０）をエアが透過して使用者に当てることが可能となる。
【００２８】
〔本発明の実施形態の詳細〕
＜全体構成について＞
図１は、マッサージ機７の平面図である。このマッサージ機７はマット型であり、マット本体１０と、このマット本体１０を覆うカバー５５とを備えている。図１では内部構造の説明のために、カバー５５を想像線（二点鎖線）で示しており、また、マット本体１０が有している後述のクッション材（身体保持部）３０を外した状態としている。
【００２９】
このマット型のマッサージ機７は、床面やベッド上に載せて使用されるものである。マット本体１０上に使用者が仰向けになって横たわった状態で、使用者の右手側がマッサージ機７の右側となり、左手側が左側となる。図１の上側が使用者の頭部側となり、図１の下側が使用者の足側となる。また、以下の説明において、位置に関して「上」「下」のような上下方向については、マット本体１０の厚さ方向（図１では紙面に直交する方向）である。図１において、使用者を細線で示している。図２は、図１のＸ２−Ｘ２矢視の断面図である。図３は、図１のＸ３−Ｘ３矢視の断面図である。また、図３ではカバー５５を省略している。
【００３０】
マッサージ機７は、マット本体１０及びカバー５５の他に、マット本体１０に設けられている複数のエアセル４０と、これらエアセル４０にエアを供給するための複数エア供給装置１４（図１参照）とを備えている。エア供給装置１４は、マット本体１０に内蔵されていてもよいが、本実施形態では、マット本体１０の外部に設けられており、配管１８を介して繋がっている。
【００３１】
マット本体１０は、複数に分割（本実施形態では三分割）されており、使用者の身長方向に沿って並ぶ分割体１１，１２，１３を有している。使用者の頭部側から順に第一分割体１１、第二分割体１２、第三分割体１３であり、一般成人である使用者が横たわった状態で、第一分割体１１は、使用者の頭部及び肩部を下から支持し、第二分割体１２は、使用者の腰部を下から支持し、第三分割体１３は、その使用者の脚を下から支持することができる。なお、本実施形態では、第二分割体１２は使用者の臀部についても支持する大きさとなっている。平面視において、分割体１１，１２，１３はすべて同じ大きさ（同じ輪郭形状）とするのが折畳み収納の観点で好ましいが、それぞれが異なる大きさであってもよい。
【００３２】
＜第一分割体１１について＞
第一分割体１１は、図２に示すように、下から順に、第一シート材５１と、第一分割ベース２１と、第一分割クッション材３１とを備えており、これらは重ねて設けられている。第一シート材５１と第一分割ベース２１とは固定（接着）されていてもよいが、非接着の状態で重ねられているのみであってもよい。第一分割ベース２１と第一分割クッション材３１とは非接着の状態で重ねて設けられている。非接着であっても、これらは第一カバー５５ａにより全方向から覆われているため、一体となる。
【００３３】
第一分割ベース２１には、上方に開口している開口部２９ａが設けられている。本実施形態では、第一分割ベース２１に上下方向に貫通した穴を形成し、この第一分割ベース２１の下に第一シート材５１が設けられていることから、第一シート材５１を下面とした開口部２９ａが第一分割ベース２１に設けられた構成となる。開口部２９ａは、左右に対称の配置で設けられており、それぞれにエアセル４０が収容されている。開口部２９ａは、エアセル４０を収容する収容空間となる。
【００３４】
第一分割ベース２１は（図１参照）、頭部側フレーム２１ａ、左フレーム２１ｂ、右フレーム２１ｃ、中央フレーム２１ｄ及び脚側フレーム２１ｅを有しており、これらは一体となっており、また、これらによって囲まれた領域が前記開口部２９ａとなる。中央フレーム２１ｄの上には、別のエアセル４０が設けられている。
【００３５】
第一シート材５１の材質は樹脂製であり、例えばポリエチレン樹脂とすることができる。第一シート材５１の厚さは第一分割ベース２１よりも薄く、例えば１ミリメートルとすることができる。なお、後述する第二シート材５２及び第三シート材５３の材質及び厚さも、第一シート材５１と同じである。
【００３６】
第一分割ベース２１の材質は発泡性の樹脂製であり、例えば発泡ポリエチレン樹脂とすることができる。第一分割ベース２１の厚さは、エアセル４０を収容する開口部２９ａを形成可能な値に設定されており、例えば２０ミリメートルとすることができる。なお、後述する第二分割ベース２２及び第三分割ベース２３の材質及び厚さも、第一分割ベース２１と同じである。
【００３７】
第一分割クッション材３１は、線材（線状体）を結合させて成る立体網状構造を有するものである。例えば、特開２０１３−７５１３８号公報や、特開２０１０−１５４９６５号公報に開示されているものからなる。第一分割クッション材３１は、全方向に弾性を有しており、柔軟性及び可撓性を有している。第一分割クッション材３１の厚さは、第一分割ベース２１よりも大きくすることができ、例えば３５ミリメートルとすることができる。なお、後述する第二分割クッション材３２及び第三分割クッション材３３の材質（製法）及び厚さも、第一分割クッション材３１と同じである。
【００３８】
第一分割ベース２１、第一シート材５１及び第一分割クッション材３１は、厚さが異なるが、同じ外周輪郭形状を有している。そして、これらを一体とすべく、カバー５５ａがこれらを覆っている。
【００３９】
第一分割体１１に含まれるエアセル４０について説明する。左の開口部２９ａには、二種類のエアセル４０が重ねて設けられている。左の開口部２９ａには、エアセル４０として、下層のブローエアセル４１Ｌ−１と、上層の布エアセル４１Ｌ−２とが設けられている。これらエアセル４１Ｌ−１，４１Ｌ−２それぞれは、エア供給装置１４からエアが供給されることによって膨張し（図５参照）、エアが排出されることで収縮する（図３参照）。エアが排出された状態では薄くなり、シート状となる。
【００４０】
ブローエアセル４１Ｌ−１は、樹脂製であり、ブロー成形によって袋状に構成されたものである。ブローエアセル４１Ｌ−１の一部が開口しており配管を介してエア供給装置１４と繋がっている。ブローエアセル４１Ｌ−１は、収縮状態で、分割ベース２１の上面に平行な面方向に平らな構成であるが、膨張すると、上下方向に大きく膨らみ（図５参照）布エアセル４１Ｌ−２を押し上げる。ブローエアセル４１Ｌ−１は、膨張すると、中央で最も大きく膨らむ。ブローエアセル４１Ｌ−１は、膨張すると、布エアセル４１Ｌ−２と比較して、指向性（方向性）を有するものであり、上向きの指向性を有する。なお、ブローエアセル４１Ｌ−１は、中央側において第一分割ベース２１（又は第一シート材５１）に固定されており、中央側において変位が一部拘束されるのに対して、反対側の左側は自由に変位できることから、中央側に寄った上向きの指向性（図５の矢印Ｇ１で示す方向性）を有する。また、ブローエアセル４１Ｌ−１は、膨張状態で剛性を有することができ、外力によって変形し難い（つまり、外力に対する抵抗力が強い）。このため、使用者の体重の一部が負荷されていても、ブローエアセル４１Ｌ−１は、膨張状態で所定の方向（図５の矢印Ｇ１で示す方向）に強く膨張しようとすることができる。
【００４１】
布エアセル４１Ｌ−２は、布と樹脂との二層構造を有し、密封性を有する樹脂袋が布で覆われて補強されている。布エアセル４１Ｌ−２の一部が開口しており配管を介してエア供給装置１４と繋がっている。布エアセル４１Ｌ−２は、収縮状態で、分割ベース２１の上面に平行な面方向に平らな構成であるが、膨張すると、上下方向に大きく膨らみ（図５参照）第一分割クッション材３１を押し上げる。布エアセル４１Ｌ−２は、膨張すると、全体的に大きく膨らむ。布エアセル４１Ｌ−２は、膨張すると、ブローエアセル４１Ｌ−１と比較して、自由な方向に膨らむことができ、また、外力によって変形しやすい（つまり、外力に対する抵抗力が弱い）。このため、使用者の体重の一部が負荷されると、布エアセル４１Ｌ−２は、使用者の身体部位の形状に応じた形状となって膨張した状態となる。例えば、膨張した布エアセル４１Ｌ−２は、第一分割クッション材３１を介して身体部位を覆うような形状となることもできる。
【００４２】
右の開口部２９ａには、二種類のエアセル４０が重ねて設けられている。右の開口部２９ａには、エアセル４０として、下層のブローエアセル４１Ｒ−１と、上層の布エアセル４１Ｒ−２とが設けられている。これらエアセル４１Ｒ−１，４１Ｒ−２それぞれは、エア供給装置１４からエアが供給されることによって膨張し、エアが排出されることで収縮する。エアが排出された状態では薄くなり、シート状となる（図３参照）。右のブローエアセル４１Ｒ−１は、左のブローエアセル４１Ｌ−１と取り付け向きが左右反対であるが、同じ構成であり、同じ機能を有する。右の布エアセル４１Ｒ−２は、左の布エアセル４１Ｌ−２と取り付け向きが左右反対であるが、同じ構成であり、同じ機能を有する。
【００４３】
図１において、第一分割体１１では、中央にエアセル４１Ｃが設けられている。このエアセル４１Ｃは布エアセルであり、特性は前記布エアセル４１Ｌ−２と同じである。エアセル４１Ｃはエア供給装置１４からエアが供給されることによって膨張し、エアが排出されることで収縮する。なお、この中央のエアセル４１Ｃはブローエアセルであってもよい。エアセル４１Ｃは、開口部２９ａではなく、一対の開口部２９ａ，２９ａの間の中央フレーム２１ｄ上に設けられている。膨張することで、使用者の左右方向の中央（背中）を押し上げることができる（図８参照）。収縮した状態では薄く、中央フレーム２１ｄ上で平面状となっている。
【００４４】
本実施形態では、第一分割体１１に、エアセル４１Ｃよりも使用者の頭部側に涼風エアセル４１Ｄが設けられている。涼風エアセル４１Ｄは、穴付のエアセルであり、この涼風エアセル４１Ｄはエア供給装置１４からエアが供給されることによって外部へエアを噴出することができる。本実施形態の場合、使用者の首に向かってエアを吹きかけることができる。なお、涼風エアセル４１Ｄの上には第一分割クッション材３１が設けられているが、前記のとおりこのクッション材３１は、線材を結合させて成る立体網状構造を有しており通気性が高いため、エアを通過させることができる。また、カバー５５ａも布製であるため、エアを通過させる。
【００４５】
そして、カバー５５ａは第一分割体１１の全体を覆っている。後にも説明するが、第一分割体１１を覆っているカバー５５ａと、第二分割体１２を覆っているカバー５５ｂとは連結されており、更に、この連結部分で分割体１１，１２を折畳み可能としている。また、第二分割体１２を覆っているカバー５５ｂと、第三分割体１３を覆っているカバー５５ｃとは連結されており、またこの連結部分で分割体１２，１３を折畳み可能としている。
【００４６】
＜第二分割体１２について＞
第二分割体１２は、図２に示すように、下から順に、第二シート材５２と、第二分割ベース２２と、第二分割クッション材３２とを備えており、これらは重ねて設けられている。第二シート５２と第二分割ベース２２とは固定（接着）されていてもよいが、非接着の状態で重ねられているのみであってもよい。第二分割ベース２２と第二分割クッション材３２とは非接着の状態で重ねて設けられている。非接着であっても、これらはカバー５５ｂにより全方向から覆われているため、一体となる。
【００４７】
第二分割ベース２２には、上方に開口している開口部２９ｂが設けられている。本実施形態では、第二分割ベース２２に上下方向に貫通した穴を形成し、この第二分割ベース２２の下に第二シート材５２が設けられていることから、第二シート材５２を下面とした開口部２９ｂが第二分割ベース２２に設けられた構成となる。開口部２９ｂは、左右に対称の配置で設けられており、それぞれにエアセル４０が収容されている。開口部２９ｂは、エアセル４０を収容する収容空間となる。
【００４８】
第二分割ベース２２は（図１参照）、頭部側フレーム２２ａ、左フレーム２２ｂ、右フレーム２２ｃ、中央フレーム２２ｄ及び脚側フレーム２２ｅを有しており、これらは一体となっており、また、これらによって囲まれた領域が前記開口部２９ｂとなる。中央フレーム２２ｄの上には、別のエアセル４０が設けられている。
【００４９】
前記のとおり、第二シート材５２の材質及び厚さは、第一分割体１１の第一シート材５１と同じである。第二分割ベース２２の材質及び厚さも、第一分割体１１の第一分割ベース２１と同じである。第二分割クッション材３２の材質（製法）及び厚さも、第一分割体１１の第一分割クッション材３１と同じである。
第二分割ベース２２、第二シート材５２及び第二分割クッション材３２は、厚さが異なるが、同じ外周輪郭形状を有している。そして、これらを一体とすべく、カバー５５ｂがこれらを覆っている。
【００５０】
第二分割体１２に含まれるエアセル４０について説明する。左の開口部２９ｂには、二種類のエアセル４０が重ねて設けられている。左の開口部２９ｂには、エアセル４０として、下層のブローエアセル４２Ｌ−１と、上層の布エアセル４２Ｌ−２とが設けられている。これらエアセル４２Ｌ−１，４２Ｌ−２それぞれは、エア供給装置１４からエアが供給されることによって膨張し（図７参照）、エアが排出されることで収縮する（図６参照）。エアが排出された状態では薄くなり、シート状となる。図６及び図７は、図１のＸ６−Ｘ６矢視の断面図である。
【００５１】
ブローエアセル４２Ｌ−１は、樹脂製であり、ブロー成形によって袋状に構成されたものである。ブローエアセル４２Ｌ−１の一部が開口しており配管を介してエア供給装置１４と繋がっている。ブローエアセル４２Ｌ−１は、収縮状態で、分割ベース２２の上面に平行な面方向に平らな構成であるが、膨張すると、上下方向に大きく膨らみ（図７参照）布エアセル４２Ｌ−２を押し上げる。ブローエアセル４２Ｌ−１は、膨張すると、中央で最も大きく膨らむ。ブローエアセル４２Ｌ−１は、膨張すると、布エアセル４２Ｌ−２と比較して、指向性（方向性）を有するものであり、上向きの指向性を有する。なお、ブローエアセル４２Ｌ−１は、中央側において第二分割ベース２２（又は第二シート材５２）に固定されており、中央側において変位が一部拘束されるのに対して、反対側の左側は自由に変位できることから、中央側に寄った上向きの指向性（図７の矢印Ｇ２で示す方向性）を有する。また、ブローエアセル４２Ｌ−１は、膨張状態で剛性を有することができ、外力によって変形し難い（つまり、外力に対する抵抗力が強い）。このため、使用者の体重の一部が負荷されていても、ブローエアセル４２Ｌ−１は、膨張状態で所定の方向（図７の矢印Ｇ２で示す方向）に強く膨張しようとすることができる。
【００５２】
布エアセル４２Ｌ−２は、布と樹脂との二層構造を有し、密封性を有する樹脂袋が布で覆われて補強されている。布エアセル４２Ｌ−２の一部が開口しており配管を介してエア供給装置１４と繋がっている。布エアセル４２Ｌ−２は、収縮状態で、分割ベース２１の上面に平行な面方向に平らな構成であるが、膨張すると、上下方向に大きく膨らみ（図７参照）第二分割クッション材３２を押し上げる。布エアセル４２Ｌ−２は、膨張すると、全体的に大きく膨らむ。布エアセル４２Ｌ−２は、膨張すると、ブローエアセル４２Ｌ−１と比較して、自由な方向に膨らむことができ、また、外力によって変形しやすい（つまり、外力に対する抵抗力が弱い）。このため、使用者の体重の一部が負荷されると、布エアセル４２Ｌ−２は、使用者の身体部位の形状に応じた形状となって膨張した状態となる。例えば、膨張した布エアセル４２Ｌ−２は、第二分割クッション材３２を介して身体部位を覆うような形状となることもできる。
【００５３】
右の開口部２９ｂには、二種類のエアセル４０が重ねて設けられている。右の開口部２９ｂには、エアセル４０として、下層のブローエアセル４２Ｒ−１と、上層の布エアセル４２Ｒ−２とが設けられている。これらエアセル４２Ｒ−１，４２Ｒ−２それぞれは、エア供給装置１４からエアが供給されることによって膨張し、エアが排出されることで収縮する。エアが排出された状態では薄くなり、シート状となる（図６参照）。右のブローエアセル４２Ｒ−１は、左のブローエアセル４２Ｌ−１と取り付け向きが左右反対であるが、同じ構成であり、同じ機能を有する。右の布エアセル４２Ｒ−２は、左の布エアセル４２Ｌ−２と取り付け向きが左右反対であるが、同じ構成であり、同じ機能を有する。
【００５４】
図１において、第二分割体１２では、中央にエアセル４２Ｅが設けられている。このエアセル４２Ｅは布エアセルであり、特性は前記布エアセル４２Ｌ−２と同じである。エアセル４２Ｅはエア供給装置１４からエアが供給されることによって膨張し、エアが排出されることで収縮する。なお、この中央のエアセル４２Ｅはブローエアセルであってもよい。エアセル４２Ｅは、開口部２９ｂではなく、一対の開口部２９ｂ，２９ｂの間の中央フレーム２２ｄ上に設けられている。膨張することで、使用者の左右方向の中央（背中）を押し上げることができる（図９参照）。収縮した状態では薄く、中央フレーム２１ｄ上で平面状となっている。
【００５５】
本実施形態では、第二分割体１２に、左右両側に涼風エアセル４２Ｆが設けられている。涼風エアセル４２Ｆは、穴付のエアセルであり、この涼風エアセル４２Ｆはエア供給装置１４からエアが供給されることによって外部へエアを噴出することができる。本実施形態の場合、使用者の手首に向かってエアを吹きかけることができる。なお、涼風エアセル４２Ｆの上には第二分割クッション材３２が設けられているが、前記のとおりこのクッション材３２は、線材を結合させて成る立体網状構造を有しており通気性が高いため、エアを通過させることができる。また、カバー５５ｂも布製であるため、エアを通過させる。
【００５６】
＜第三分割体１３について＞
第三分割体１３は、図２に示すように、下から順に、第三シート材５３と、第三分割ベース２３と、第三分割クッション材３３とを備えており、これらは重ねて設けられている。第三シート５３と第三分割ベース２３とは固定（接着）されていてもよいが、非接着の状態で重ねられているのみであってもよい。第三分割ベース２３と第三分割クッション材３３とは非接着の状態で重ねて設けられている。非接着であっても、これらはカバー５５ｃにより全方向から覆われているため、一体となる。
【００５７】
第三分割ベース２３には、上方に開口している開口部２９ｃが設けられている。本実施形態では、第三分割ベース２３に上下方向に貫通した穴を形成し、この第三分割ベース２３の下に第三シート材５３が設けられていることから、第三シート材５３を下面とした開口部２９ｃが第三分割ベース２３に設けられた構成となる。開口部２９ｃは、中央に一つ設けられており、エアセル４３Ｇが収容されている。開口部２９ｃは、エアセル４３Ｇを収容する収容空間となる。
【００５８】
第三分割ベース２３は（図１参照）、頭部側フレーム２３ａ、左フレーム２３ｂ、右フレーム２３ｃ及び脚側フレーム２３ｄを有しており、これらは一体となっており、また、これらによって囲まれた領域が前記開口部２９ｃとなっている。
【００５９】
前記のとおり、第三シート材５３の材質及び厚さは、第一分割体１１の第一シート材５１と同じである。第三分割ベース２３の材質及び厚さも、第一分割体１１の第一分割ベース２１と同じである。第三分割クッション材３３の材質（製法）及び厚さも、第一分割体１１の第一分割クッション材３１と同じである。
第三分割ベース２３、第三シート材５３及び第三分割クッション材３３は、厚さが異なるが、同じ外周輪郭形状を有している。そして、これらを一体とすべく、カバー５５ｃがこれらを覆っている。
【００６０】
第三分割体１３に含まれるエアセル４３Ｇについて説明する。エアセル４３Ｇは、エア供給装置１４からエアが供給されることによって膨張し、エアが排出されることで収縮する。エアが排出された状態では薄くなり、シート状となる。
エアセル４３Ｇは、布エアセルであり、布と樹脂との二層構造を有し、密封性を有する樹脂袋が布で覆われて補強されている。エアセル４３Ｇの一部が開口しており配管を介してエア供給装置１４と繋がっている。エアセル４３Ｇは、収縮状態で、分割ベース２３の上面に平行な面方向に平らな構成であるが、膨張すると、上下方向に大きく膨らみ第三分割クッション材３３を押し上げる。これにより、使用者の脚を持ち上げることが可能となる。なお、エアセル４３Ｇは、ブローエアセルであってもよい。
【００６１】
＜マット本体１０について＞
前記の三つの分割体１１，１２，１３によってマット本体１０は構成されている。マット本体１０は（図２参照）、下（床面側）から順に、シート材５０、マットベース２０及びクッション材３０を備えている。シート材５０は、薄い板状の部材であり、三分割されている。本実施形態では、シート材５０は、第一シート材５１、第二シート材５２及び第三シート材５３によって構成されている。マットベース２０は、シート材５０よりも厚い板状の部材であり、三分割されている。本実施形態では、マットベース２０は、第一分割ベース２１、第二分割ベース２２及び第三分割ベース２３によって構成されている。クッション材３０は、シート材５０よりも厚い板状の部材であり、三分割されている。本実施形態では、クッション材３０は、第一分割クッション材３１、第二分割クッション材３２、第三分割クッション材３３によって構成されている。
【００６２】
第一シート材５１、第一分割ベース２１及び第一分割クッション材３１を含む第一分割体１１と、第二シート材５２、第二分割ベース２２及び第二分割クッション材３２を含む第二分割体１２とは、連結部５６を介して連結されている。そして、第二分割体１２と、第三シート材５３、第三分割ベース２３及び第三分割クッション材３３を含む第三分割体１３とは、連結部５７を介して連結されている。そして、これら連結部５６，５７を折れ曲がり部分として、マット型であるマッサージ機７は折畳み可能となっている。図１０に示すように、第一分割体１１は、第二分割体１２のシート材５２側と重なるように折畳み可能であり、また、第三分割体１３は、第二分割体１２のクッション材３２側と重なるように折畳み可能となっている。
【００６３】
第一分割体１１と第二分割体１２とを連結する連結部５６を、ヒンジにより構成してもよいが、本実施形態では、第一分割体１１を覆うカバー５５ａの一部及び第二分割体１２を覆うカバー５５ｂの一部により構成されている。つまり、布製であるカバー５５ａの一部と布製であるカバー５５ｂの一部とを縫合した部分を連結部５６としている。第二分割体１２と第三分割体１３とを連結する連結部５７についても、第二分割体１２を覆うカバー５５ｂの一部及び第三分割体１３を覆うカバー５５ｃの一部により構成されている。つまり、布製であるカバー５５ｂの一部と布製であるカバー５５ｃの一部とを縫合した部分を連結部５７としている。
【００６４】
＜エア供給装置１４について＞
エア供給装置１４には（図４参照）、ポンプ１６、バルブ１７ａ〜１７ｋ、バルブ１７ｍ及び配管１８を含むエアユニット１９、並びに、マイコン（コンピュータ装置）からなる制御装置１５が含まれる。ポンプ１６は、エアセル４０に供給するエア（圧縮エア）を発生させる。バルブ１７ａ〜１７ｋ，１７ｍは、エアセル４０と同数設けられており、一つのエアセル４０に一つのバルブが接続されている。バルブ１７ａ〜１７ｋそれぞれは、開閉切り換えが可能である電磁弁であり、開状態でポンプ１６からのエアをエアセル４０に供給し、閉状態でエアセル４０のエアを排出可能とする。脚用のエアセル４３Ｇと繋がるバルブ１７ｍは、開閉切り換えが可能であると共にエアセル４３Ｇのエアの排出を停止させる中立状態となることができる電磁弁であり、開状態でポンプ１６からのエアをエアセル４３Ｇに供給し、閉状態でエアセル４３Ｇのエアを排出可能とし、中立状態でエアの供給を停止しても膨張させたエアセル４３Ｇからエアが抜けるのを防止する（つまり、エアセル４３Ｇの膨張状態を維持する）。
【００６５】
本実施形態では、単一のポンプ１６には、このポンプ１６より延びる配管１８から分岐して全てのバルブ１７ａ〜１７ｋ，１７ｍが繋がっている。したがって、ポンプ１６がエアの供給を開始すると、全てのエアセル４０は膨張可能となるが、その途中のバルブ１７ａ〜１７ｋ，１７ｍを閉状態とすることで、閉状態のバルブに繋がるエアセル４０は収縮状態（又は排気状態）となる。つまり、膨張させたいエアセル４０と一対一で繋がっているバルブを開状態にすることで、所望のエアセル４０にエアを供給することが可能となり、膨張させることができる。
【００６６】
制御装置１５の内部メモリには、ポンプ１６の動作プログラム及びバルブ１７ａ〜１７ｋ，１７ｍの開閉状態を切り替えるプログラムが記憶されており、このプログラムにしたがってポンプ１６及びバルブ１７ａ〜１７ｋ，１７ｍを動作させ、所定のエアセル４０を膨張させたり収縮させたりする。制御装置１５には、複数種類のプログラムが記憶されている。
【００６７】
＜マット型のマッサージ機７の動作について＞
以上の構成を備えているマッサージ機７の動作について説明する。
＜その１＞
マッサージ機７は、図１及び図２に示すように、マット本体１０と、複数のエアセル４０と、エア供給装置１４とを備えている。マット本体１０は、使用者の身長方向に沿って並ぶ複数の分割体１１，１２，１３により構成されている。前記エアセル４０には、複数の分割体１１，１２，１３の内の第一分割体１１の左右それぞれに設けられエアの供給により膨張可能である第一エアセル４０が含まれる。第一分割体１１の左側の第一エアセル４０は、二層のエアセル（ブローエアセル４１Ｌ−１及び布エアセル４１Ｌ−２）からなり、第一分割体１１の右側のエアセル４０は、二層のエアセル（ブローエアセル４１Ｒ−１及び布エアセル４１Ｒ−２）からなる。更に、前記エアセル４０には、複数の分割体１１，１２，１３の内の第二分割体１２の左右それぞれに設けられエアの供給により膨張可能である第二エアセル４０が含まれる。第二分割体１２の左側の第二エアセル４０は、二層のエアセル（ブローエアセル４２Ｌ−１及び布エアセル４２Ｌ−２）からなり、第二分割体１２の右側のエアセル４０は、二層のエアセル（ブローエアセル４２Ｒ−１及び布エアセル４２Ｒ−２）からなる。
【００６８】
エア供給装置１４は、次の第一動作と第二動作との内の一方又は双方の動作を行うことができる。
第一動作：左側の第一エアセル（４１Ｌ−１，４１Ｌ−２）と右側の第一エアセル（４１Ｒ−１，４１Ｒ−２）との内の一方を、他方との関係で独立して膨張させるための動作
第二動作：左側の第二エアセル（４２Ｌ−１，４１Ｌ−２）と右側の第二エアセル（４２Ｒ−１，４１Ｒ−２）との内の一方を、他方との関係で独立して膨張させるための動作
【００６９】
第一動作を具体的に説明する。図３及び図５に示すように、第一分割体１１に設けられている左側の第一エアセル（４１Ｌ−１，４１Ｌ−２）を、収縮状態（図３参照）からエアを供給して膨張状態（図５参照）とする。この膨張させる動作の際、第一分割体１１に含まれる右側の第一エアセル（４１Ｒ−１，４１Ｒ−２）は収縮状態である。このように第一分割体１１に設けられている左側の第一エアセル（４１Ｌ−１，４１Ｌ−２）を、右側の第一エアセル（４１Ｒ−１，４１Ｒ−２）と関係なく、独立して膨張動作させることができる。このために、エア供給装置１４では、図４においてバルブ１７ｂ，１７ｄを開状態とし、バルブ１７ａ，１７ｃを閉状態とすればよい。
図５では、第一分割体１１において、左側の第一エアセル（４１Ｌ−１，４１Ｌ−２）のみを膨張させる場合について説明したが、反対に、右側の第一エアセル（４１Ｒ−１，４１Ｒ−２）のみを膨張させてもよく、この動作も前記第一動作に含まれる。
【００７０】
第二動作を具体的に説明する。図６及び図７に示すように、第二分割体１２に設けられている左側の第二エアセル（４２Ｌ−１，４２Ｌ−２）を、収縮状態（図６参照）からエアを供給して膨張状態（図７参照）とする。この膨張させる動作の際、第二分割体１２に含まれる右側の第二エアセル（４２Ｒ−１，４２Ｒ−２）は収縮状態である。このように第二分割体１２に設けられている左側の第二エアセル（４２Ｌ−１，４２Ｌ−２）を、右側の第二エアセル（４２Ｒ−１，４２Ｒ−２）と関係なく、独立して膨張動作させることができる。このために、エア供給装置１４では、図４においてバルブ１７ｈ，１７ｊを開状態とし、バルブ１７ｇ，１７ｉを閉状態とすればよい。
図７では、第二分割体１２において、左側の第二エアセル（４２Ｌ−１，４２Ｌ−２）のみを膨張させる場合について説明したが、反対に、右側の第二エアセル（４２Ｒ−１，４２Ｒ−２）のみを膨張させてもよく、この動作も前記第二動作に含まれる。
【００７１】
このようなマッサージ機７によって行われる動作によれば、次のようなマッサージ（又はストレッチ）が可能となる。すなわち、このマット型のマッサージ機７上に使用者が横たわる状態で、例えば第一分割体１１において左右の内の一方のエアセル（４１Ｌ−１，４１Ｌ−２）を膨張させて他方のエアセル（４１Ｒ−１，４１Ｒ−２）を膨張させないようにすることができ（図５参照）、これにより使用者の左側の肩部及びその周囲を持ち上げる動作が可能となり、使用者の身体を捻ることができる。しかも、マット本体１０は三つの分割体１１，１２，１３に分割されていることから、第一分割体１１において前記のような持ち上げる動作が行われても、その影響を他の分割体１２（１３）に載る身体部分（腰部から足先側の部分）へ与えにくくすることができる。これによって、エアセル（４１Ｌ−１，４１Ｌ−２）により使用者に対して与える作用にメリハリを付けることが可能となり、使用者に与える快適感を高めることができる。
【００７２】
また、前記第一動作と共に前記第二動作を実行することで、しかも、第一分割体１１と第二分割体１２とで膨張させる左右いずれかのエアセルを同期させれば、つまり図５に示す状態と図７に示す状態とを同期させれば、使用者の左側の肩部、腰部、臀部及びこれらの周囲の同時に持ち上げる動作が可能となり、使用者の身体を捻ることができる。
【００７３】
また、前記第一動作と共に前記第二動作を実行するが、第一分割体１１と第二分割体１２とで膨張させる左右のエアセルを反対すれば、つまり第一分割体１１では左側のエアセル（４１Ｌ−１，４１Ｌ−２）を膨張させるタイミングで、第二分割体１２では右側のエアセル（４２Ｒ−１，４２Ｒ−２）を膨張させると、使用者の肩部及びその周囲を右側へ向かって持ち上げるが、腰部、臀部及びその周囲を左側へ向かって持ち上げることができ、腰部を中央として大きく捻る動作を使用者に与えることができる。
【００７４】
エア供給装置１４は、第一分割体１１の第一エアセル４０及び第二分割体１２の第二エアセル４０の双方を同時に膨張させてもよいが、膨張させるエアセル４０を含む分割体はいずれか一方のみとしてもよい。例えば、第一分割体１１では全てのエアセル４０を収縮状態としているが（図３参照）、第二分割体１２のエアセル（４２Ｌ−１，４２Ｌ−２）を膨張させる（図７参照）ように動作させてもよい。
【００７５】
このようにエア供給装置１４は、第一分割体１１の第一エアセル４０及び第二分割体１２の第二エアセル４０の内の一方を、他方との関係で独立して膨張させるための動作が可能である。このマッサージ機７によって行われる動作によれば、例えば、第一エアセル４０のみを膨張させたり、第二エアセル４０のみを膨張させたりすることができる。更には、左側の第一エアセル（４１Ｌ−１，４１Ｌ−２）と右側の第二エアセル（４２Ｒ−１，４２Ｒ−２）とを膨張させたり、右側の第一エアセル（４１Ｒ−１，４１Ｒ−２）と左側の第二エアセル（４２Ｌ−１，４２Ｌ−２）とを膨張させたりすることが可能となる。
【００７６】
マッサージ機７は、マットベース２０と、使用者の身体を保持する身体保持部としてクッション材３０とを有している。マットベース２０は、使用者の身長方向に沿って並ぶ複数の分割ベース２１，２２，２３を含み、複数のエアセル４０が設けられている。クッション材３０は、マットベース２０の上に設けられかつ複数の前記エアセル４０を覆うと共に、分割ベース２１，２２，２３と分割位置を同じとしている複数の分割クッション材（分割保持部）３１，３２，３３を含む。そして、このクッション材３０は、弾性変形が可能な構成となっている。そして、一つの分割体（例えば第一分割体１１）は、一つ分割ベース（２１）と一つの分割クッション材（３１）とを含んで構成されている。なお、第二分割体１２及び第三分割体１３も同様に、一つの分割ベースと一つの分割クッション材とを含んで構成されている。この構成によれば、分割クッション材３１，３２，３３の上に使用者が横たわる形態となり、分割クッション材３１，３２，３３は弾性変形可能であるため、エアセル４０が膨張すると分割クッション材３１，３２，３３はこれに応じて弾性変形することができ、前記のような使用者の身体部分を持ち上げる動作が阻害されない。
【００７７】
マット本体１０は、使用者の肩部を支持可能とする第一分割体１１と、使用者の腰部及び／又は臀部を支持可能とする第二分割体１２とを含むようにして分割されている。この構成によれば、図５、図７及び図１１〜図２０に示すように、使用者の肩部及びその周囲と、腰部及び／又は臀部並びにその周囲とをそれぞれ押し上げることが可能となり、また、使用者の肩部及びその周囲と、腰部及び／又は臀部並びにその周囲との間で使用者の身体を捻ることも可能となる。なお、本実施形態では、マット本体１０は、使用者の脚を支持可能とする第三分割体１３も含むようにして分割されている。図５、図７及び図１１〜図２０に関しては、後に説明する。
【００７８】
＜その２＞
マッサージ機７は、図１及び図２に示すように、使用者の身長方向に長いマットベース２０と、このマットベース２０に設けられエアの供給により膨張可能である複数のエアセル４０と、使用者の身体を保持する身体保持部としてクッション材３０とを備えている。クッション材３０は、マットベース２０上に設けられ複数のエアセル４０を覆うと共に弾性変形が可能となっている。
クッション材３０は、使用者の身長方向に沿って並ぶ複数の分割クッション材（分割保持部）を含む。なお、本実施形態では、クッション材３０には、三つの分割クッション材３１，３２，３３が含まれる。
そして、複数のエアセル４０の一部は、一つの分割クッション材３１に覆われ、複数のエアセル４０の残りは、他の分割クッション材（３２，３３）によって覆われている。なお、本実施形態では、第一分割体１１に設けられているエアセル（４１Ｌ−１，４１Ｌ−２，４１Ｒ−１，４１Ｒ−２，４１Ｃ，４１Ｄ）は、第一分割クッション材３１に覆われており、残りのエアセル（４２Ｌ−１，４２Ｌ−２，４２Ｒ−１，４２Ｒ−２，４１Ｅ，４１Ｆ，４３Ｇ）は、第二分割クッション材３２及び第三分割クッション材３３に覆われている。
【００７９】
このようなマッサージ機７によって行われる動作によれば、次のようなマッサージ（又はストレッチ）が可能となる。すなわち、このマット型のマッサージ機（７）上に使用者が横たわる状態で、例えば、図５又は図７に示すように、任意のエアセル４０を膨張させるとクッション材３０を弾性変形させて使用者の身体部分を持ち上げる動作が可能となる。しかも、クッション材３０は、複数の分割クッション材３１，３２，３３に分割されており、複数のエアセル４０の一部は、一つの分割クッション材３１に覆われ、複数のエアセル４０の残りは、他の分割クッション材３２，３３によって覆われているので、所定のエアセル（例えば、図７において第二分割体１２のエアセル４２Ｌ−１，４２Ｌ−２）が膨張することで一つの分割クッション材３２を介して使用者の身体部分（腰部）を持ち上げることができるが、その影響を、別のクッション材３１，３３に載る他の身体部分（肩部や脚部）へ与えにくくすることができる。これによって、エアセル４０により使用者に対して与える作用にメリハリを付けることが可能となる。
【００８０】
特に、本実施形態では、図１及び図２に示すように、マットベース２０は、使用者の身長方向に沿って並ぶ複数の分割ベース２１，２２，２３を含み、複数のエアセル４０が、複数の分割ベース２１，２２，２３に分かれて設けられている。そして、クッション材３０は、分割ベース２１，２２，２３と分割位置を同じとして分割されている。また、使用者の身体を保持する身体保持部として機能するクッション材３０は、分割ベース２１，２２，２３よりも柔らかい（つまり、弾性変形が容易である）特性を有している。
【００８１】
この構成によれば、マット型のマッサージ機７上に使用者が横たわる状態で、エアセル４０を膨張させて使用者の身体部分（肩部や腰部）を持ち上げる動作が可能となる（図５、図７参照）。しかも、マットベース２０は複数の分割ベース２１，２２，２３に分割されており、更に、その上のクッション材３０も分割位置を同じとして分割されている。このため、一つの分割ベース２２において前記のような持ち上げる動作が行われても、その影響を他の分割ベース２１，２３に載る身体部分へ与えにくくすることができる。これによって、エアセル４０により使用者に対して与える作用にメリハリを付けることが可能となる。
【００８２】
＜その３＞
マッサージ機７は、図１及び図２に示すように、シート材５１と、マットベース２０と、エアセル４０と、使用者の身体を保持する身体保持部としてのクッション材３０とを備えている。マットベース２０は、シート材５１上に設けられていると共に上方に開口する開口部２９ａ，２９ｂを有している。エアセル４０は、開口部２９ａ，２９ｂに設けられておりエアの供給により膨張可能である。開口部２９ａ，２９ｂに設けられているエアセル４０を、開口部用エアセル４０と呼ぶこともある。本実施形態の場合、開口部用エアセル４０には、第一分割体１１の左側のブローエアセル４１Ｌ−１及び布エアセル４１Ｌ−２と右側のブローエアセル４１Ｒ−１及び布エアセル４１Ｒ−２、並びに、第二分割体１２の左側のブローエアセル４２Ｌ−１及び布エアセル４２Ｌ−２と右側のブローエアセル４２Ｒ−１及び布エアセル４２Ｒ−２が含まれる。そして、クッション材３０は、マットベース２０及びエアセル４０を上から覆うと共に、マットベース２０よりも柔らかい（弾性変形が容易である）特性を備えている。
【００８３】
このマッサージ機７によって行われる動作によれば、次のようなマッサージ（又はストレッチ）が可能となる。すなわち、このマット型のマッサージ機７上に使用者が横たわる状態で（例えば、図５、図７参照）、エアセル（４１Ｌ−１，４１Ｌ−２，４２Ｌ−１，４２Ｌ−２）を膨張させて使用者の身体部分を持ち上げる動作が可能となる。しかも、これらエアセル（４１Ｌ−１，４１Ｌ−２，４２Ｌ−１，４２Ｌ−２）はマットベース２０の開口部２９ａ，２９ｂに設けられており、その上にクッション材３０が設けられた構成となっている。このため、開口部２９ａ，２９ｂ、エアセル４０及びエアセル用の配管１８の存在を使用者に感じさせにくくすることができ、使用者に快適な寝心地を与えることが可能となる。
【００８４】
＜その４＞
マッサージ機７は、図１及び図２に示すように、上方に開口する開口部２９ａ，２９ｂを有するマットベース２０と、開口部用エアセル４０と、平坦部用エアセル４０とを備えている。
開口部用エアセル４０は（図１及び図３参照）、開口部２９ａ，２９ｂに設けられており、エアの供給により膨張可能である。本実施形態の場合、開口部用エアセル４０には、第一分割体１１の左側のブローエアセル４１Ｌ−１及び布エアセル４１Ｌ−２と右側のブローエアセル４１Ｒ−１及び布エアセル４１Ｒ−２、並びに、第二分割体１２の左側のブローエアセル４２Ｌ−１及び布エアセル４２Ｌ−２と右側のブローエアセル４２Ｒ−１及び布エアセル４２Ｒ−２が含まれる。
平坦部用エアセル４０は（図３及び図６参照）、マットベース２０上であって開口部２９ａ，２９ｂ以外の平坦部２８ａ，２８ｂに設けられており、エアの供給により膨張可能である。本実施形態の場合、平坦部用エアセル４０には、第一分割体１１のエアセル４１Ｃ、及び、第二分割体１２のエアセル４２Ｅが含まれる。
【００８５】
すなわち、本実施形態のマッサージ機７は、左右方向の中央を除く左右両側において上方に開口する開口部２９ａ，２９ｂを有するマットベース２０と、開口部２９ａ，２９ｂそれぞれに設けられておりエアの供給により膨張可能である開口部用エアセル４０と、マットベース２０の前記中央の平坦部２８ａ，２８ｂに設けられておりエアの供給により膨張可能である平坦部用エアセル４０とを備えたものとなる。
【００８６】
エア供給装置１４は、開口部用エアセル４０及び平坦部用エアセル４０それぞれにエアを供給可能としている。エア供給装置１４は、エアの供給を停止することで開口部用エアセル４０を収縮させている状態で、エアを供給することで平坦部用エアセル４０を膨張させるための動作が可能である。このような構成を備えているマッサージ機７によって行われる動作によれば、次のようなマッサージ（又はストレッチ）が可能となる。
【００８７】
すなわち、このマット型のマッサージ機７上に使用者が横たわる状態で、開口部用エアセル４０を膨張させて使用者の左右一方の身体部分を持ち上げる動作が可能となる（図５、図７参照）。なお、この際、平坦部用エアセル４０（４１Ｃ，４２Ｅ）は収縮した状態にある。
また、これら開口部用エアセル４０を収縮させた状態で、図８に示すように、平坦部用エアセル４０（４１Ｃ）を膨張させると、使用者の中央の身体部分（背中の中央）を持ち上げる動作が可能となる。また、開口部用エアセル４０を収縮させた状態で、図９に示すように、平坦部用エアセル４０（４２Ｅ）を膨張させると、使用者の中央の身体部分（腰部及び／又は臀部の中央）を持ち上げる動作が可能となる。
第一分割体１１及び第二分割体１２の平坦部用エアセル４０（４１Ｃ，４２Ｅ）は、任意の一つのみを膨張させてもよく、又は両者を同時に膨張させてもよい。
【００８８】
以上のように、マットベース２０の中央に設けられている平坦部用エアセル４０（４１Ｃ，４２Ｅ）の少なくとも一つが膨張すると、使用者の背筋に沿う部分が持ち上げられる。このため、使用者が胸部を張った姿勢とさせることができる。これに対して、開口部用エアセル４０の左右の一方が膨張すると、使用者の背筋を挟んで左右いずれかの身体部分を持ち上げる動作が行われる。このため、使用者の身体を捻るような作用を与えることができる。このように、本実施形態のマット型のマッサージ機７によれば、マットベース２０には、二種類の作用を使用者に与えるエアセル（開口部用エアセル４０，平坦部用エアセル４０）が設けられており、これら二種類のエアセル４０は膨張することで使用者に異なる体感を与えることができる。
なお、開口部２９ａ（２９ｂ）の位置は、図示した以外の位置であってもよい。そして、その開口部２９ａ（２９ｂ）に開口部用エアセル４０が設けられ、マットベース２０上であって開口部２９ａ（２９ｂ）以外の平坦部２８ａ（２８ｂ）に平坦部用エアセル４０を設けられる。この場合であっても、これら二種類のエアセル４０が膨張することで使用者に異なる体感を与えることができる。
【００８９】
平坦部用エアセル４０（４１Ｃ，４２Ｅ）は、マットベース２０の開口部２９ａ，２９ｂではなく平坦部２８ａ，２８ｂ上に設けられていることから、使用者に近い位置で膨張することができ、膨張状態で強い作用を使用者に与えることができる。なお、平坦部用エアセル４０（４１Ｃ，４２Ｅ）は、布エアセルからなるため、収縮状態では薄く、使用者にその存在を意識させにくく、寝心地を損なうことがない。
【００９０】
また、本実施形態では、第一分割体１１において（図３及び図５参照）、左側の開口部２９ａには、開口部用エアセル４０として、上に位置する上エアセル（４１Ｌ−２）及び下に位置する下エアセル（４１Ｌ−１）が重ねて設けられており、これら上エアセル（４１Ｌ−２）と下エアセル（４１Ｌ−１）とは特性が異なっている。また、右側の開口部２９ａには、開口部用エアセル４０として、上に位置する上エアセル（４１Ｒ−２）及び下に位置する下エアセル（４１Ｒ−１）が重ねて設けられており、これら上エアセル（４１Ｒ−２）と下エアセル（４１Ｒ−１）とは特性が異なっている。上エアセル（４１Ｌ−２，４１Ｒ−２）は、前記のとおり、布と樹脂との二層構造を有し、密封性を有する樹脂袋が布で覆われて補強されている布エアセルである。このため、上エアセル（４１Ｌ−２，４１Ｒ−２）は、下エアセルと比較して外力によって変形しやすい。下エアセル（４１Ｌ−１，４１Ｒ−１）は、前記のとおり、樹脂製であり、ブロー成形によって袋状に構成されたものである。このため、下エアセル（４１Ｌ−１，４１Ｒ−１）は、上エアセルと比較して外力によって変形し難い。
このため、上エアセルと下エアセルそれぞれの効果を得ることができる。
また、第二分割体１２においても（図６及び図７参照）、左右の開口部２９ｂそれぞれには上下二層のエアセル４０が設けられており、上エアセル（４２Ｌ−２，４２Ｒ−２）は布エアセルであり、下エアセル（４２Ｌ−１，４２Ｒ−１）はブローエアセルであり、これらは特性が異なっている。
【００９１】
＜その５＞
マッサージ機７は、図１及び図２に示すように、上方に開口する開口部２９ａ，２９ｂを有するマットベース２０と、開口部２９ａ，２９ｂに設けられているエアセル４０とを備えている。本実施形態の場合、エアセル４０には、第一分割体１１の左側のブローエアセル４１Ｌ−１及び布エアセル４１Ｌ−２と右側のブローエアセル４１Ｒ−１及び布エアセル４１Ｒ−２、並びに、第二分割体１２の左側のブローエアセル４２Ｌ−１と布エアセル４２Ｌ−２及び右側のブローエアセル４２Ｒ−１及び布エアセル４２Ｒ−２が含まれる。そして、エアセル４０それぞれは、エアの供給により膨張可能である（図５、図７参照）。
【００９２】
第一分割体１１において（図３及び図５参照）、左側の開口部２９ａには、開口部用エアセル４０として、上に位置する上エアセル（４１Ｌ−２）及び下に位置する下エアセル（４１Ｌ−１）が重ねて設けられており、これら上エアセル（４１Ｌ−２）と下エアセル（４１Ｌ−１）とは特性が異なっている。また、右側の開口部２９ａには、開口部用エアセル４０として、上に位置する上エアセル（４１Ｒ−２）及び下に位置する下エアセル（４１Ｒ−１）が重ねて設けられており、これら上エアセル（４１Ｒ−２）と下エアセル（４１Ｒ−１）とは特性が異なっている。上エアセル（４１Ｌ−２，４１Ｒ−２）は、前記のとおり、布と樹脂との二層構造を有し、密封性を有する樹脂袋が布で覆われて補強されている布エアセルである。このため、上エアセル（４１Ｌ−２，４１Ｒ−２）は、下エアセルと比較して外力によって変形しやすい。下エアセル（４１Ｌ−１，４１Ｒ−１）は、前記のとおり、樹脂製であり、ブロー成形によって袋状に構成されたものである。このため、下エアセル（４１Ｌ−１，４１Ｒ−１）は、上エアセルと比較して外力によって変形し難い。
また、第二分割体１２においても（図６及び図７参照）、左右の開口部２９ｂそれぞれには二層のエアセルが設けられており、上エアセル（４２Ｌ−２，４２Ｒ−２）は布エアセルであり、下エアセル（４２Ｌ−１，４２Ｒ−１）はブローエアセルであり、これらは特性が異なっている。
【００９３】
このように構成されたマット型のマッサージ機７によれば、このマッサージ機７の上に使用者が横たわる状態で、エアセル４０を膨張させて使用者の身体部分を持ち上げる動作が可能となる（図５、図７参照）。また、例えば、図３に示すように、第一分割体１１において、上エアセル（４１Ｌ−２）と下エアセル（４１Ｌ−１）とを重ねても、これらはある程度の深さを有している開口部２９ａに設けられていることで、マット型のマッサージ機７上に横たわる使用者に、これらエアセル（４１Ｌ−１，４１Ｌ−２）を感じさせにくく、違和感を与えにくい。
特に本実施形態では、下エアセル（４１Ｌ−１）は、ブローエアセルであり、収縮状態であっても多少の厚さ寸法を有しており、このようなブローエアセルが例えばマットベース２０の上面（平坦部２８ａ，２８ｂ）に載っており、しかも、上エアセル（４１Ｌ−２）と上下重ねて設けられていると、その上にクッション材３０が載っていても、使用者は、エアセル（４１Ｌ−１，４１Ｌ−２）の存在を感じやすくなる。
しかし、本実施形態では、上下に重なる下エアセル（４１Ｌ−１）及び上エアセル（４１Ｌ−２）は、マットベース２０に形成されている開口部２９ａに収容された状態で設けられていることから、その上に使用者が横たわった場合に、使用者はこれらエアセル（４１Ｌ−１，４１Ｌ−２）の存在を感じにくくなる。つまり、使用者に違和感を与えにくくすることができる。更に、分割ベース２１の上には、クッション材３０が載せられていることから、使用者はこれらエアセル（４１Ｌ−１，４１Ｌ−２）の存在をより一層感じにくくなる。これは、第二分割体１２においても同様である。
【００９４】
そして、開口部２９ａ（２９ｂ）には二層のエアセル（４２Ｌ−１，４２Ｌ−２）が設けられており、これら上エアセル（４２Ｌ−２）と下エアセル（４２Ｌ−１）とは特性が異なっている。
下エアセルは、ブローエアセル４１Ｌ−１であり、このブローエアセル４１Ｌ−１は、収縮状態で、分割ベース２１の上面に平行な面方向に平らな構成であるが、膨張すると、上下方向に大きく膨らみ（図５参照）布エアセル４１Ｌ−２を押し上げる。ブローエアセル４１Ｌ−１は、膨張すると、中央で最も大きく膨らむ。ブローエアセル４１Ｌ−１は、膨張すると、布エアセル４１Ｌ−２からなる上エアセルと比較して、指向性（方向性）を有するものであり、上向きの指向性を有する。なお、ブローエアセル４１Ｌ−１は、中央側において第一分割ベース２１（又は第一シート材５１）に固定されており、中央側において変位が一部拘束されるのに対して、反対側の左側は自由に変位できることから、中央側に寄った上向きの指向性（図５の矢印Ｇ１で示す方向性）を有する。また、ブローエアセル４１Ｌ−１は、膨張状態で剛性を有することができ、外力によって変形し難い（つまり、外力に対する抵抗力が強い）。このため、使用者の体重の一部が負荷されていても、ブローエアセル４１Ｌ−１は、膨張状態で所定の方向（図５の矢印Ｇ１で示す方向）に強く膨張しようとすることができる。
【００９５】
これに対して、上エアセルは、布エアセル４１Ｌ−２であり、この布エアセル４１Ｌ−２は、布と樹脂との二層構造を有し、密封性を有する樹脂袋が布で覆われて補強されている。布エアセル４１Ｌ−２の一部が開口しており配管を介してエア供給装置１４と繋がっている。布エアセル４１Ｌ−２は、収縮状態で、分割ベース２１の上面に平行な面方向に平らな構成であるが、膨張すると、上下方向に大きく膨らみ（図５参照）第一分割クッション材３１を押し上げる。布エアセル４１Ｌ−２は、膨張すると、全体的に大きく膨らむ。布エアセル４１Ｌ−２は、膨張すると、ブローエアセル４１Ｌ−１と比較して、自由な方向に膨らむことができ、また、外力によって変形しやすい（つまり、外力に対する抵抗力が弱い）。このため、使用者の体重の一部が負荷されると、布エアセル４１Ｌ−２は、使用者の身体部位の形状に応じた形状となって膨張した状態となる。例えば、膨張した布エアセル４１Ｌ−２は、第一分割クッション材３１を介して身体部位を覆うような形状となることもできる。
【００９６】
以上のように、本実施形態のマッサージ機７によれば、上エアセル（４１Ｌ−２）と下エアセル（４１Ｌ−１）それぞれの効果を得ることができる。なお、前記説明は、第一分割体１１の左側の開口部２９ａに設けられているエアセル４０（４１Ｌ−１，４１Ｌ−２）に関するものであるが、右側の開口部２９ａに設けられているエアセル４０（４１Ｒ−１，４１Ｒ−２）も同様であり、また、第二分割体１２の左右にそれぞれ設けられているエアセル４０も同様である。
【００９７】
なお、複数のエアセル４０を上下に重ね、しかも、これらエアセル４０の特性が異なる構成は、マット型のマッサージ機７（図１参照）以外のマッサージ機にも適用可能である。例えば、この構成を椅子型のマッサージ機７に適用可能である。つまり、椅子型のマッサージ機７は、図２３に示すように、使用者が着座する座部６１と、使用者が凭れる背凭れ部６２とを備えており、座部６１と背凭れ部６２との内の一方又は双方に、特性が異なるエアセル６４，６５を複数重ねたマッサージ手段６３を設けることができる。このマッサージ機７の場合、二つのエアセル６４，６５を重ねることで、使用者の身体部位（背中）を押すことができるマッサージ手段６３となる。使用者の身体部位に近い側である上側のエアセル６４は、前記のとおり説明した布エアセルであり、身体部位に遠い側である下側のエアセル６５が、前記のとおり説明したブローエアセルである。なお、この椅子型のマッサージ機７は、更に、使用者の脚を支持するフットレスト６６や、腕を支持する肘掛け部６７を有しており、これらフットレスト６６や、肘掛け部６７に、特性が異なるエアセルを複数重ねたマッサージ手段６３を設けることができる。
【００９８】
このような椅子型のマッサージ機７の場合、座部６１、背凭れ部６２、フットレスト６６、肘掛け部６７それぞれが、使用者の身体部位を支持する本体部となる。以上より、図２３に示す椅子型のマッサージ機７は、使用者の身体部位（上半身）を支持する本体部（背凭れ部６２）と、この本体部（背凭れ部６２）に設けられ使用者の身体部位（上半身の特に背中や肩）を押圧可能であるマッサージ手段６３とを備えている。マッサージ手段６３は、上に位置する上エアセル６４及び下に位置する下エアセル６５を上下重ねた状態として有し、これら上エアセル６４と下エアセル６５とは特性が異なっている。このマッサージ機によれば、上エアセル６４と下エアセル６５それぞれの効果を得ることができる。
なお、図１に示すようなマット型のマッサージ機７の場合、マット本体１０が、使用者の身体部位を支持する本体部となる。
【００９９】
＜その他について＞
前記各形態のマッサージ機において、次のように構成されている。
エアセル４０に関して、例えば図５に示すブローエアセル４１Ｌ−１は、布エアセル４１Ｌ−２と比較して剛性が高いことからハードエアセルと呼ぶことができる。ハードエアセル（ブローエアセル）は指向性があり、決まった形状に膨らみやすく、また、決まった方向に膨らみやすい。これに対して、布エアセル４１Ｌ−２は、ブローエアセル４１Ｌ−１と比較して剛性が低いことからソフトエアセルと呼ぶことができる。ソフトエアセル（布エアセル）は、ある程度、変形自在あり、使用者の身体部位（体形）に合わせて変形できる。
【０１００】
そして、使用者の身体部位に近い側をソフトエアセルとし、遠い側をハードエアセルとして、これらソフトエアセルとハードエアセルとを重ねてマッサージ手段として構成することで、ハードエアセルにより身体部位に対する押し上げ量（押圧力）を確保することができ、そして、ソフトエアセルにより身体部位を包み込む体感が得られる。
【０１０１】
マッサージ機７は、使用者の身体を保持する身体保持部としてクッション材３０を有している。クッション材３０は、前記のとおり立体網状構造を有しており、この立体網状構造は、曲がりくねった線材からなるランダムループを直交する三方向に複数有しており、このランダムループ同士が結合されることで構成されたものである（図２１参照）。このような立体網状構造からなるクッション材３０は、マットベース２０の上に設けられており、このマットベース２０よりも柔らかい（弾性変形が容易である）特性を有している。このクッション材３０によれば、マット型のマッサージ機７上に使用者が横たわる状態で、底付き感を与えにくく寝心地感を高めることができ、更に、膨張するエアセル４０に押されてしなやかに変形することができ、クッション材３０は使用者の身体に沿って変形できる。このため、クッション材３０を使用者の身体にフィットさせることができる。
【０１０２】
クッション材３０について更に説明する。クッション材３０は、発泡ポリウレタン樹脂や発泡ポリエチレン等の多孔質シートであってもよいが、本実施形態では、前記のとおり線材（線状体）を結合させて成る立体網状構造を有している。具体的には、本実施形態のクッション材３０は、株式会社ＭＴＧ製、ＴＨＩＮＫＡＩＲ  ＢＯＤＹ  ＦＩＴ  ＰＲＥＭＩＵＭ（登録商標）を所定の形状としたものである。
このクッション材３０は、立体網状構造を有する板状であることから、その厚さ方向に剛性を有しているが、曲げ方向の剛性は低い。なお、本実施形態の場合、前記厚さ方向は上下方向である。クッション材３０は厚さ方向に剛性を有していることで、使用者が横たわった際に、底付き感を与えにくい。前記曲げ方向は、エアセル４０の膨張に伴ってクッション材３０の一部が湾曲する方向であり、このクッション材３０は曲げ方向の剛性が低いことで、エアセル４０によるクッション材３０の変形が容易となり、クッション材３０は身体に沿って変形しやすい。このため、クッション材３０は、使用者の身体部位を包み込むことができる。特にこのクッション材３０の下には布エアセル（例えば、図５に示す布エアセル４１Ｌ−２）が設けられており、この布エアセルも柔軟性に富んだ特性を有することから、使用者の身体部位の形状に沿って布エアセルは膨張すると共に、その形状に応じてクッション材３０は変形することができる。
【０１０３】
ここで、次の（その１）（その２）（その３）をクッション材３０として採用した場合の比較について説明する。なお、各クッション材３０の厚さは全て３５ミリメートルで同じである。
（その１）立体網状構造を有するクッション材
（その２）発泡ポリウレタン樹脂からなるクッション材
（その３）発泡ポリエチレン樹脂からなるクッション材
【０１０４】
各クッション材の特性は次のとおりである。
（その１）「立体網状構造を有するクッション材」
・柔らかく、繊維の絡まりにより、強い弾力性を有する。
・その上に横たわった場合、下に存在するエアセル４０やそのための配管１８は感じない（つまり、底付き感が無い）。
・エアセル４０の膨張に合わせて曲がりやすい。
【０１０５】
（その２）「発泡ポリウレタン樹脂からなるクッション材」
・柔らかい。
・その上に横たわった場合、下に存在するエアセル４０やそのための配管１８を感じる（つまり、底付き感がある）。
・曲がりやすく、エアセル４０の膨張に合わせて局部的に盛り上がる。
【０１０６】
（その３）「発泡ポリエチレン樹脂からなるクッション材」
・硬い。
・その上に横たわった場合、下に存在するエアセル４０やそのための配管１８は感じない。
・曲がりにくく、エアセル４０が膨張すると全体として傾く。
・表面がすべりやすい。
【０１０７】
前記（その１）（その２）（その３）それぞれを図１に示すマット型のマッサージ機７のクッション材３０として使用した場合の「寝心地」「異物感の有無」「マッサージ体感」「捻り容易性」を評価内容とした実験結果について説明する。なお、この結果は、複数の被験者のアンケート結果である。また、この結果を数値化して図示したものが図２２である。なお、「捻り容易性」とは、第一分割体１１において右側のエアセル４０を収縮させた状態で左側のエアセル４０を膨張させ、かつ、第二分割体１２において左側のエアセル４０を収縮させた状態で右側のエアセル４０を膨張させることで、使用者の上半身を捻る動作であり、その捻り動作が容易に行われるか否かの特性である。
【０１０８】
・「寝心地」について
（その１）柔らかすぎず、硬すぎず、適切。
（その２）柔らかすぎて、寝心地が悪い。
（その３）硬く、寝心地が悪い。
【０１０９】
・「異物感の有無」について（つまり、下に敷いたエアセル及び配管を感じる程度について）
（その１）底付き感はなく、エアセル及び配管の存在を感じない。
（その２）底付き感があり、エアセル及び配管の存在を明確に感じる。
（その３）底付き感はなく、エアセル及び配管の存在を感じない。
【０１１０】
・「マッサージ体感」について
（その１）エアセル４０により柔軟に押圧され、好ましい体感が得られる。
（その２）エアセル４０により強く押圧され、好ましい体感が得られる。
（その３）エアセル４０が膨張するとクッション材３０が全体として持ち上げられ、エアセル４０によるマッサージ感が無い。
【０１１１】
・「捻り容易性」について
（その１）クッション材３０がある範囲でまとまって曲がりやすく、体を捻りやすい。
（その２）エアセル４０の部分のみで身体部位が持ち上げられ、捻りの成分が小さい。
（その３）曲がり難く、身体部位が全体的に左右に滑って移動し、体を捻りにくい。
なお、前記「捻り」とは使用者の上半身を捻る動作であり、「捻りの成分が小さい」とは捻りによる上半身の回転角度が小さいことをいう。これに対して「捻りやすい」とは捻りによる上半身の回転角度が大きいことをいう。
【０１１２】
以上のように、本実施形態のような立体網状構造を有するクッション材３０は、発泡ポリウレタン樹脂や発泡ポリエチレン樹脂のクッション材と異なる特性を有しており、発泡ポリウレタン樹脂や発泡ポリエチレン樹脂を採用する場合よりも、マット型のマッサージ機７に好適である。
【０１１３】
また、マット型のマッサージ機７において、前記のとおり、マットベース２０の開口部２９ａ，２９ｂそれぞれには、上下二層のエアセル４０，４０を備えている。図５に示す形態の場合、左側の開口部２９ａに二層のエアセル（４１Ｌ−１，４１Ｌ−２）が設けられており、右側の開口部２９ａに二層のエアセル（４１Ｒ−１，４１Ｒ−２）が設けられている。使用者の身体部位に近い上側に位置する上エアセル（４１Ｌ−２，４１Ｒ−２）は、布エアセルからなり、これは、身体部位に遠い下側に位置する下エアセル（４１Ｌ−１，４１Ｒ−１）よりも外力によって変形しやすい（つまり、外力に対する抵抗力が弱い）。これに対して、下エアセル（４１Ｌ−１，４１Ｒ−１）は、ブローエアセルからなり、これは、上エアセル（４１Ｌ−２，４１Ｒ−２）よりも外力によって変形しにくい（つまり、外力に対する抵抗力が強い）構成となっている。この構成によれば、下エアセル（４１Ｌ−１，４１Ｒ−１）が膨張することで上エアセル（４１Ｌ−２，４１Ｒ−２）を使用者側に変位させることができ、そして、上エアセル（４１Ｌ−２，４１Ｒ−２）が膨張すると、その上エアセル（４１Ｌ−２，４１Ｒ−２）は、使用者の身体に沿った形状となる。
【０１１４】
図５、図７及び図１１〜図２０に示すマッサージ動作（ストレッチ動作）の具体例について説明する。前記のとおり、マット本体１０は、使用者の肩部を支持可能とする第一分割体１１と、使用者の腰部及び／又は臀部を支持可能とする第二分割体１２とを含むようにして分割されている。この構成によれば、第一分割体１１及び第二分割体１２の内の少なくとも一方に設けられているエアセル４０が膨張することで、使用者の肩部及びその周囲と、腰部及び／又は臀部及びその周囲とをそれぞれ押し上げることが可能となる。
具体的に説明すると、図５に示すように、第一分割体１１の左側のエアセル（４１Ｌ−１，４１Ｌ−２）が膨張することで、使用者の（右側を持ち上げないで）左側の肩部及びその周囲を持ち上げることができる。なお、図５では、上下のエアセル（４１Ｌ−１，４１Ｌ−２）の両者を膨張させることで、大きく持ち上げることができる。これ以外に、図１１に示すように、第一分割体１１の左側において、上側のエアセル（４１Ｌ−２）のみを膨張させてもよい。この場合、上側のエアセル（４１Ｌ−２）は布エアセルであることから、使用者の（右側を持ち上げないで）左側の肩部及びその周囲を小さくかつ柔軟性を有して持ち上げることができる。図１２に示す態様は、第一分割体１１の左側において、下側のエアセル（４１Ｌ−１）のみを膨張させている。この場合、下側のエアセル（４１Ｌ−１）はブローエアセルであることから、使用者の（右側を持ち上げないで）左側の肩部及びその周囲を小さくかつ剛性を有して持ち上げることができる。
なお、図１１及び図１２では、第一分割体１１の左側のエアセル４０を膨張させる場合について説明したが、右側に設けられている二つのエアセル（４１Ｒ−１，４１Ｒ−２）の少なくとも一方を膨張させてもよい。
また、図７、図１３及び図１４は、第二分割体１２を示しており、第二分割体１２の左側に設けられている上下のエアセル（４２Ｌ−１，４２Ｌ−２）の少なくとも一方を膨張させてもよい。これにより、使用者の（右側を持ち上げないで）左側の腰部及び／又は臀部並びにその周囲を持ち上げることができる。また、第二分割体１２の右側のエアセル（４２Ｒ−１，４２Ｒ−２）の少なくとも一方を膨張させてもよい。
【０１１５】
エア供給装置１４は、（プログラムに基づいて）エアを供給するエアセル４０を選択することで、第一分割体１１及び第二分割体１２それぞれにおいて、左右のエアセル４０の内の一方側（図５、図７、図１１〜図１４の場合、左側）を膨張させ、他方側（右側）を収縮させることができる。この場合、使用者の左右一方の身体部位（腰部及び／又は臀部から肩部側）を同時に持ち上げ、他方を持ち上げない動作が可能となる。
エア供給装置１４は、（プログラムに基づいて）エアを供給するエアセル４０を選択することで、第一分割体１１では、左右のエアセル４０の内の一方側（図５、図７、図１１〜図１４の場合、左側）を膨張させ、他方側（右側）を収縮させるのに対して、第二分割体１２では、左右のエアセル４０の内の他方側（右側）を膨張させ、一方側（左側）を収縮させてもよい。この場合、使用者の肩部及びその周囲と、腰部及び／又は臀部及びその周囲との間で使用者の身体を捻ることが可能となる。
【０１１６】
また、第一分割体１１において、左右のエアセル４０を同時に膨張させてもよい（図１５参照）。つまり、左側の上下のエアセル（４１Ｌ−１，４１Ｌ−２）の双方を膨張させると共に、右側の上下のエアセル（４１Ｒ−１，４１Ｒ−２）の双方を膨張させている。これにより、使用者の左右の肩部及びその周囲を同時に持ち上げることができる。なお、図１６は、左側において上側のエアセル（４１Ｌ−２）を膨張させているが下側のエアセル（４１Ｌ−１）は収縮した状態であり、右側において上側のエアセル（４１Ｒ−２）を膨張させているが下側のエアセル（４１Ｒ−１）は収縮した状態である。この場合、上側のエアセル（４１Ｌ−２，４１Ｒ−２）は布エアセルであることから、使用者の左右の肩部及びその周囲を小さくかつ柔軟性を有して持ち上げることができる。図１７は、左側において下側のエアセル（４１Ｌ−１）を膨張させているが上側のエアセル（４１Ｌ−２）は収縮した状態であり、右側において下側のエアセル（４１Ｒ−１）を膨張させているが上側のエアセル（４１Ｒ−２）は収縮した状態である。この場合、下側のエアセル（４１Ｌ−１，４１Ｒ−１）はブローエアセルであることから、使用者の左右の肩部及びその周囲を小さくかつ剛性を有して持ち上げることができる。
【０１１７】
また、第二分割体１２において、左右のエアセル４０を同時に膨張させてもよい（図１８参照）。つまり、左側の上下のエアセル（４２Ｌ−１，４２Ｌ−２）の双方を膨張させると共に、右側の上下のエアセル（４２Ｒ−１，４２Ｒ−２）の双方を膨張させている。これにより、使用者の左右の腰部及びその周囲を同時に持ち上げることができる。なお、図１９は、左側において上側のエアセル（４２Ｌ−２）を膨張させているが下側のエアセル（４２Ｌ−１）は収縮した状態であり、右側において上側のエアセル（４２Ｒ−２）を膨張させているが下側のエアセル（４２Ｒ−１）は収縮した状態である。この場合、上側のエアセル（４２Ｌ−２，４２Ｒ−２）は布エアセルであることから、使用者の左右の肩部及びその周囲を小さくかつ柔軟性を有して持ち上げることができる。図２０は、左側において下側のエアセル（４２Ｌ−１）を膨張させているが上側のエアセル（４２Ｌ−２）は収縮した状態であり、右側において下側のエアセル（４２Ｒ−１）を膨張させているが上側のエアセル（４２Ｒ−２）は収縮した状態である。この場合、下側のエアセル（４２Ｌ−１，４２Ｒ−１）はブローエアセルであることから、使用者の左右の肩部及びその周囲を小さくかつ剛性を有して持ち上げることができる。
【０１１８】
図１５〜図１７それぞれは、第一分割体１１においてエアセル４０を膨張させている状態を示しており、図１８〜図２０それぞれは、第二分割体１２においてエアセル４０を膨張させている状態を示しているが、第一分割体１１におけるエアセル４０の動作と、第二分割体１２におけるエアセル４０の動作とに関する組み合わせは自在である。つまり、第一分割体１１において、図１５〜図１７に示す動作のいずれか一つが行われ、第二分割体１２において、図１８〜図２０に示す動作のいずれか一つが行われるように、エア供給装置１４は制御することができる。
【０１１９】
マット型のマッサージ機７の折畳みに関して説明する（図１０参照）。マット本体１０は、複数（三つ）の分割体１１，１２，１３により構成されており、このマッサージ機７をマッサージのために使用する状態で、これらは使用者の身長方向に沿って並ぶ配置となる。そして、これら分割体１１，１２，１３からなるマット本体１０は、二つの連結部５６，５７それぞれを基点として折り畳んで三つ折とすることができる。つまり、各分割体は、隣り合う分割体との間において折れ曲がり可能となっている。このため、このマッサージ機７をマッサージ用として使用しない場合、折り畳むことが可能となり、収納しやすくなる。
【０１２０】
本実施形態では、マット本体１０は、三つの分割体１１，１２，１３を有しており、三つ折構造となっている。三つ折構造の折り方はＺ形であり、折り畳まれた状態で、中央の第二分割体１２の一面側に第一分割体１１が位置し、第二分割体１２の他面側に第二分割体１２が位置する。そして、分割体１１，１２，１３それぞれにエアセル４０が設けられている。
【０１２１】
隣り合う第一分割体１１と第二分割体１２とは、折れ曲がり可能とする第一連結部５６を介して繋がっており、隣り合う第二分割体１２と第三分割体１３とは、折れ曲がり可能とする第二連結部５７を介して繋がっており、三つ折構造となることができる。
第一分割体１１は使用者の肩部及びその周囲を下から支持することができ、第二分割体１２は使用者の腰部及び／又は臀部を下から支持することができ、これら第一分割体１１と第二分割体１２との間の第一連結部５６は、使用者の身体と反対側（裏側）にある。つまり、第一分割体１１と第二分割体１２との間では、使用者の身体側（表側）は、縁が切れており連続していない。このため、第一分割体１１と第二分割体１２との内の一方の分割体（１１）に設けられているエアセル４０のみが膨張した際、他方の分割体（１２）に支持されている使用者の身体部位に対して、その膨張の影響を与えにくくしている。つまり、第一分割体１１のエアセル４０が膨張しても、第一分割体１１と第二分割体１２とで縁が切れていることから、第一分割体１１におけるエアセル４０の膨張動作の影響を、第二分割体１２側に与えない。このため、第一分割体１１が支持している身体部分（肩部及びその周囲）に膨張するエアセル４０の作用を与え、その他の部分にはエアセル４０の作用を与えず、メリハリのあるマッサージが可能となる。本実施形態の三分割構造によれば、使用者に対して独立してエアセル４０を作用させやすくなる。
【０１２２】
なお、図１０の形態と反対に、図示しないが、第一分割体１１と第二分割体１２との間の第一連結部５６を、使用者の身体側（表て側）としてもよい。この場合、第一分割体１１と第二分割体１２との間における連続性が確保され、マット不連続による違和感を使用者に与えにくくすることができる。なお、この場合であっても、第一分割体１１と第二分割体１２とはカバー５５ａ，５５ｂの一部（連結部５６）でのみ連続していることから、一方の分割体のエアセル４０の影響を他方の分割体側に与えにくい。
【０１２３】
本実施形態では、分割体１１，１２，１３それぞれは、カバー５５ａ，５５ｂ，５５ｃにより覆われており、これらカバー５５ａ，５５ｂ，５５ｃにより一つの連続したカバー５５が構成されている。そして、このカバー５５は、分割体１１，１２の間及び分割体１２，１３の間それぞれにおいて、表側と裏側とが縫い合わされており、この縫い合わせ部が連結部５６，５７となっている。なお、連結部５６，５７は、カバー５５の一部が縫い合わされた部分ではなく、別部材（蝶板）を用いて構成されていてもよい。
【０１２４】
図１において、マッサージ機７は、開口部２９ａ，２９ｂ及び平坦部２８ａ，２８ｂに設けられエアの供給により膨張して使用者の身体部位を押圧するマッサージ用のエアセル４０（前記布エアセル及び前記ブローエアセル）以外に、涼風エアセル４１Ｄ，４２Ｆを有している。これらエアセル４１Ｄ，４２Ｆは、例えば前記ブローエアセルの一部に穴を設け、供給されたエアがこの穴から通り抜けることができるように構成したものである。これら涼風エアセル４１Ｄ，４２Ｆそれぞれは、マットベース２０とクッション材３０との間に介在しており、クッション材３０が設けられている側をエアの噴出側とし、クッション材３０上に横たわる使用者の身体部位に向けてエアを噴出する。なお、使用者の身体部位に向けてエアを噴出させるための構成（エア噴出部材）は、穴あきエアセル以外であってもよい。
【０１２５】
このように、クッション材３０とマットベース２０との間には、使用者側にエアを噴出するエア噴出部材（４１Ｄ，４２Ｆ）が設けられている。この構成によれば、クッション材３０は前記のとおり立体網状構造を有していることから通気性が良好であり、このクッション材３０の下に設けられている涼風エアセル４１Ｄ，４２Ｆ（エア噴出部材）からエアを噴出することで、クッション材３０をエアが透過して使用者の身体部位にエア（涼風）を当てることが可能となる。本実施形態では、涼風エアセル４１Ｄは、第一分割体１１に設けられており、使用者の首部にエアを当てることができ、涼風エアセル４２Ｆは、第二分割体１２に設けられており、使用者の手部（手首部）にエアを当てることができる。
【０１２６】
前記各形態において、所定のエアセル４０を膨張させたり、収縮させたり、エアを噴出させたりしているが、これは、エア供給装置１４の機能に基づくものであり、所定のバルブを開閉制御することで実現される。また、このようにバルブを開閉制御するためのプログラムが、エア供給装置１４の内部メモリに記憶されており、各プログラムが実行されることで、所定のエアセル４０を膨張させたり、収縮させたり、エアを噴出させたりすることができる。
以上より、エア供給装置１４（図４参照）によるエアセル４０を膨張させるための動作には、エアセル４０側へエアを供給するためにポンプ１６を駆動させる動作、及び、所定のエアセル４０を膨張させるために当該エアセル４０と繋がるバルブ（１７ａ〜１７ｋ，１７ｍ）を開状態とする指令信号を、そのバルブ（１７ａ〜１７ｋ，１７ｍ）に出力する動作が含まれる。
【０１２７】
以上のとおり開示した実施形態はすべての点で例示であって制限的なものではない。つまり、本発明のマッサージ機は、図示する形態に限らず本発明の範囲内において他の形態のものであってもよい。マット本体１０を三つに分割した場合について説明したが、分割数は変更自在であり、例えば二分割にしたり四分割にしたりすることができる。
【符号の説明】
【０１２８】
７：マッサージ機            １０：マット本体      １１：第一分割体
１２：第二分割体            １３：第三分割体      １４：エア供給装置
２０：マットベース          ２１，２２，２３：分割ベース
２８ａ，２８ｂ：平坦部      ２９ａ，２９ｂ：開口部
３０：クッション材（身体保持部）
３１，３２，３３：分割クッション材（分割保持部）
４０：エアセル              ５０：シート材        ５１，５２，５３：シート材
【図１】
2020062552.tif 000003
【図２】
2020062552.tif 000004
【図３】
2020062552.tif 000005
【図４】
2020062552.tif 000006
【図５】
2020062552.tif 000007
【図６】
2020062552.tif 000008
【図７】
2020062552.tif 000009
【図８】
2020062552.tif 000010
【図９】
2020062552.tif 000011
【図１０】
2020062552.tif 000012
【図１１】
2020062552.tif 000013
【図１２】
2020062552.tif 000014
【図１３】
2020062552.tif 000015
【図１４】
2020062552.tif 000016
【図１５】
2020062552.tif 000017
【図１６】
2020062552.tif 000018
【図１７】
2020062552.tif 000019
【図１８】
2020062552.tif 000020
【図１９】
2020062552.tif 000021
【図２０】
2020062552.tif 000022
【図２１】
2020062552.tif 000023
【図２２】
2020062552.tif 000024
【図２３】
2020062552.tif 000025
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
使用者の身体部位を支持する本体部と、
前記本体部に設けられ使用者の身体部位を押圧可能であるマッサージ手段と、を備え、
前記マッサージ手段は、上に位置する上エアセル及び下に位置する下エアセルを上下重ねた状態として有し、当該上エアセルと当該下エアセルとは特性が異なるマッサージ機。
【請求項２】
前記上エアセルは、前記下エアセルよりも外力によって変形しやすく、
前記下エアセルは、前記上エアセルよりも外力によって変形しにくい、請求項１に記載のマッサージ機。
【請求項３】
床面又はベッド上に載せて使用されるマット型のマッサージ機であって、
前記本体部は、仰向けになって横たわった状態となる使用者の身長方向に長いマットベースを有するマット本体であり、
前記マットベースのうち、前記使用者にとっての左右方向の中央を挟む左右の位置それぞれに、前記下エアセル及び当該下エアセルに重なる前記上エアセルを有する前記マッサージ手段が設けられていて、
前記マットベースのうち、前記使用者にとっての左右方向の中央の位置に、前記マッサージ手段とは別であるエアセルが設けられている、請求項２に記載のマッサージ機。
【請求項４】
前記マットベースは、前記使用者にとっての左右方向の中央に設けられた中央フレームを挟む左右の位置それぞれに設けられ当該使用者側となる上方に開口する左右の開口部を有し、
前記左右の開口部それぞれに、前記下エアセル及び当該下エアセルに重なる前記上エアセルを有する前記マッサージ手段が設けられていて、
前記マットベースのうち、前記中央フレームの前記使用者側となる平坦部に、前記マッサージ手段とは別であるエアセルが設けられている、
請求項３に記載のマッサージ機。
【請求項５】
前記上エアセル及び前記下エアセルにエアを供給するエア供給装置を更に備え、
前記下エアセルを膨張させないで前記上エアセルにエアを供給して当該上エアセルを膨張させることで使用者の身体を柔軟性を有して持ち上げる動作、及び、前記上エアセルを膨張させないで前記下エアセルにエアを供給して当該下エアセルを膨張させることで使用者の身体を剛性を有して持ち上げる動作と、を択一的に選択して行うことが可能である、
請求項２〜４のいずれか一項に記載のマッサージ機。
【手続補正２】
【補正対象書類名】明細書
【補正対象項目名】０００６
【補正方法】変更
【補正の内容】
【０００６】
マッサージ機は、使用者の身体部位を支持する本体部と、前記本体部に設けられ使用者の身体部位を押圧可能であるマッサージ手段と、を備え、前記マッサージ手段は、上に位置する上エアセル及び下に位置する下エアセルを上下重ねた状態として有し、当該上エアセルと当該下エアセルとは特性が異なる。